(57)【要約】【課題】  短絡材が、両端部が押し上げられた状態で永久変形して板バネとしての弾性を失ってしまい、本体を蓋から取り外しても、短絡材の両端が入力側ターミナル端子、出力側ターミナル端子に接触しなくなってしまう場合があった。【解決手段】  蓋の短絡材の裏側に入力側端子及び出力側端子へ短絡材の押付けを助勢するコイルスプリングを備えたＣＡＴＶ機器の蓋。また、前記ＣＡＴＶ機器の蓋において、コイルスプリングが絶縁体の皮膜で覆われているＣＡＴＶ機器の蓋とすることも可能である。また、前記ＣＡＴＶ機器の蓋において、短絡材とコイルスプリングとの間に絶縁体を挟み込んだＣＡＴＶ機器の蓋とすることも可能である。【選択図】図１
2005136694.tif 000002
【特許請求の範囲】
【請求項１】
入力側端子と出力側端子とを短絡可能な短絡材を備えた蓋と、前記蓋に脱着可能であり、高周波系路、電源系路を備えた本体とから構成され、
前記蓋に本体が取付けられると、前記短絡材が本体により押されて蓋の入力側端子と出力側端子の双方またはいずれか一方から離れ、本体の高周波系路と電源電圧系路が入力側端子と出力側端子の双方に接触し、
前記蓋から本体を取り外すと、本体による短絡材の前記押しが解除されて、短絡材が蓋の入力側端子と出力側端子の双方に接触して、入力側端子に入力された高周波信号及び電源電圧が短絡材を通して出力側端子に出力されるようにしたＣＡＴＶ機器において、
前記蓋の短絡材の裏側に入力側端子及び出力側端子へ短絡材の押付けを助勢するコイルスプリングを備えたことを特徴とするＣＡＴＶ機器の蓋。
【請求項２】
請求項１に記載のＣＡＴＶ機器の蓋において、コイルスプリングが絶縁体の皮膜で覆われていることを特徴とするＣＡＴＶ機器の蓋。
【請求項３】
請求項１又は請求項２に記載のＣＡＴＶ機器の蓋において、短絡材とコイルスプリングとの間に絶縁体を挟み込んだことを特徴とするＣＡＴＶ機器の蓋。
【発明の詳細な説明】
【技術分野】
【０００１】
本発明は、ＣＡＴＶ伝送路において、電源電圧及び高周波信号を分岐・分配するＣＡＴＶ用タップオフ、分岐・分配器等のＣＡＴＶ機器の蓋に関するものである。
【背景技術】
【０００２】
従来、蓋と本体とから構成されるＣＡＴＶ機器において、例えばタップオフの場合は、図２（ｂ）に示すように、前記蓋Ａは、蓋ケースＢ内に、入力側同軸ケーブルを接続可能な入力側端子Ｃと接続された入力側ターミナル端子Ｄと、出力側同軸ケーブルを接続可能な出力側端子Ｅと接続された入力側ターミナル端子Ｆと、両端子を短絡可能な金属製の短絡材Ｇを備えてなる。前記短絡材Ｇは、両端部が下向きに傾斜する板バネであって、タップオフ本体Ｈを取り付けない状態では一端が入力側ターミナル端子Ｄに接触し、他端が出力側ターミナル端子Ｆに接触して、入力側端子Ｃと出力側端子Ｅとを短絡するようにしてある。
また、図２（ａ）に示すように、タップオフ本体Ｈを蓋Ａに装着すると、タップオフ本体Ｈのプリント基板Ｉによって蓋Ａの押し具Ｊが押し上げられ、その押し具Ｊにより短絡材Ｇの両端部が押し上げられて、入力側端子Ｃ、出力側端子Ｅと電気的に切り離されるようにしてある。
【０００３】
しかし、前記蓋Ａにタップオフ本体Ｈを取付けて、タップオフとして長期間使用すると、前記短絡材Ｇの両端部が永年押し上げられた状態になるため、永久変形して板バネとしてのバネ力を失ってしまい、タップオフ本体Ｈを蓋Ａから取り外しても、短絡材Ｇの両端が入力側ターミナル端子Ｄ、出力側ターミナル端子Ｆに接触しなくなってしまう場合があった。
そこで、従来、短絡材Ｇの永久変形を防止するために、図３のように、短絡材Ｇを蓋ケースＢ内に固定するべく蓋ケースＢ内に備えられ、短絡材Ｇを収容可能な下方開口の樹脂製のカバーＫの上面の一部をカバーＫ内部に突出するように樹脂成形して突出部Ｌとし、カバーＫの突出部Ｌの弾性を利用して、短絡材Ｇの両端部の入力側ターミナル端子Ｄ、出力側ターミナル端子Ｆへの押付けを助勢する蓋Ａがある。
また、図４に示すように、短絡材Ｇを２枚の板バネＭによって構成し、重ね板バネとして短絡材Ｇの永久変形を防止する蓋Ａもある。
【発明の開示】
【発明が解決しようとする課題】
【０００４】
しかし、前記図３に示すような蓋の内部構造による場合は、前記蓋Ａにタップオフ本体Ｈを取付けて、タップオフとして長期間使用すると、カバーＫの突出部Ｌをも永久変形を起こして弾性を失い、短絡材Ｇを補助できなくなってしまい、結局短絡材Ｇ両端が入力側ターミナル端子Ｄ、出力側ターミナル端子Ｆに接触しなくなってしまう。
また前記図４に示すような蓋の内部構造による場合も、前記蓋Ａにタップオフ本体Ｈを取付けて、タップオフとして長期間使用すると、短絡材Ｇが重ね板バネであっても、短絡材Ｇが永久変形してバネ力を失い、結局短絡材Ｇ両端が入力側ターミナル端子Ｄ、出力側ターミナル端子Ｆに接触しなくなってしまう。
【課題を解決するための手段】
【０００５】
本発明の目的は、タップオフ、分岐・分配器等のＣＡＴＶ機器を長期間使用して、短絡材自体が永久変形を起こして復元力（バネ力）を失った場合であっても、短絡材が両端が入力側ターミナル端子、出力側ターミナル端子に接触できるように短絡材を補助することができるＣＡＴＶ機器の蓋を提供するところにある。
【０００６】
本件出願の請求項１記載のＣＡＴＶ機器の蓋は、入力側端子と出力側端子とを短絡可能な短絡材を備えた蓋と、前記蓋に脱着可能であり、高周波系路、電源系路を備えた本体とから構成され、
前記蓋に本体が取付けられると、前記短絡材が本体により押されて蓋の入力側端子と出力側端子の双方またはいずれか一方から離れ、本体の高周波系路と電源電圧系路が入力側端子と出力側端子の双方に接触し、
前記蓋から本体を取り外すと、本体による短絡材の前記押しが解除されて、短絡材が蓋の入力側端子と出力側端子の双方に接触して、入力側端子に入力された高周波信号及び電源電圧が短絡材を通して出力側端子に出力されるようにしたＣＡＴＶ機器において、
前記蓋の短絡材の裏側に入力側端子及び出力側端子へ短絡材の押付けを助勢するコイルスプリングを備えるものである。
【０００７】
本件出願の請求項２記載のＣＡＴＶ機器の蓋は、前記ＣＡＴＶ機器の蓋において、コイルスプリングが絶縁物の皮膜で覆われているものである。
【０００８】
本件出願の請求項３記載のＣＡＴＶ機器の蓋は、前記ＣＡＴＶ機器の蓋において、短絡材とコイルスプリングとの間に絶縁体を挟み込んだものである。
【発明の効果】
【０００９】
本件出願の請求項１記載のＣＡＴＶ機器の蓋には次のような効果がある。
（１）蓋の短絡材の裏側に入力側端子及び出力側端子へ短絡材の押付けを助勢するコイルスプリングを備えるので、タップオフ等のＣＡＴＶ機器を長期間使用して、短絡材自体が永久変形を起こして復元力（バネ力）を失った場合であっても、コイルスプリングによって、短絡材の両端が入力側ターミナル端子、出力側ターミナル端子に接触できるように短絡材を補助することができる。従って、停波しにくいＣＡＴＶ伝送路を形成することができる。
（２）また、永久変形しないコイルスプリングを備えることによって、短絡材の永久変形を未然に防止することも可能である。
（３）圧縮すると渦巻き状になって、高さが低くなる円錐形のコイルスプリングを使用した場合には、蓋に本体を備える場合に、短絡材の両端部の押し上げの邪魔になることもない。
【００１０】
本件出願の請求項２記載のＣＡＴＶ機器の蓋には次のような効果がある。
（１）コイルスプリングが絶縁体の皮膜で覆われているので、ＣＡＴＶ機器に入力された高周波信号に影響を与えることがない。
【００１１】
本件出願の請求項３記載のＣＡＴＶ機器の蓋には次のような効果がある。
（１）短絡材とコイルスプリングとの間に絶縁体を挟み込んだので、確実に短絡材とコイルスプリングとを絶縁することができ、高周波信号に影響を与えることがない。
【発明を実施するための最良の形態】
【００１２】
（実施形態１）
本発明のＣＡＴＶ機器の蓋の実施形態の一例を、タップオフを例にして図面に基づいて詳細に説明する。
本発明のＣＡＴＶ機器の蓋を備えるタップオフ１は、図１に示すように、蓋２とそれに脱着可能なタップオフ本体３とから構成されている。蓋２の外周縁部の数箇所には下方開口の螺子孔２ａが形成されており、その螺子孔２ａにタップオフ本体３の螺子孔３ａに差し込んである螺子４をねじ込むと、タップオフ本体３が蓋２に装着され、タップオフ本体３が蓋２に装着された状態で、螺子４を緩めるとタップオフ本体３が蓋２から外れるようにしてある。
【００１３】
前記蓋２は図１（ｂ）に示すように、下方開口の蓋ケース５に入力側ケーブルを脱着可能な入力側端子６と、出力側ケーブルを脱着可能な出力側端子７が形成され、蓋ケース５の内側で入力側端子６の内側に金属製の入力側ターミナル端子８が配置され、蓋ケース５の内側で出力側端子７の内側に金属製の出力側ターミナル端子９が配置され、蓋ケース５の天井面内側には、樹脂製の下方開口の細長カバー１２が配置されており、該カバー１２の内側に金属製の細長帯状の短絡材１０が配置され、アルミダイカストとか他の金属製の蓋ケース５に接触しないようにしてある。
【００１４】
短絡材１０は軸方向両端部１０ａ、１０ｂが下向きに傾斜する板バネであり、タップオフ本体３を取付けない状態では一端が入力側ターミナル端子８に押付けられて接触し、他端が出力側ターミナル端子９に押付けられて接触して、入力側端子６に装着される入力側同軸ケーブルの中心導体−入力側ターミナル端子８−短絡材１０−出力側ターミナル端子９−出力側端子７−出力側同軸ケーブルの中心導体の導通が確保されるようにしてある。
【００１５】
前記カバー１２の内側の両端部分には、図１（ａ）（ｂ）に示すように、円錐形のコイルスプリング１６が備えられており、短絡材１０の両端部１０ａ、１０ｂの、入力側ターミナル端子８及び出力側ターミナル端子９への押付けを助勢している。前記コイルスプリング１６は、図１（ｃ）に示すように、カバー１２の内側の両端部分に、円錐形のコイルスプリング１６の底部を収容可能な凹型状の座１７を形成してその座１７に収容され、座１７の周囲数箇所又は全周にスプリング固定用爪１８を形成して、収容したコイルスプリング１６が容易に外れないようにしてある。
【００１６】
前記コイルスプリング１６は、金属性であって、リン青銅、ベリリウム鋼、ばね鋼等、弾力性のある任意の金属を用いることができる。また、コイルスプリング１６は、永久変形しないように弾性限界値を計算し、弾性域内の応力のものを用いている。また、前記コイルスプリング１６は、その表面を絶縁体製の皮膜によって覆われており、短絡材１０とは絶縁されている。これによって、ＣＡＴＶ機器に入力された高周波信号に影響を与えることがなくなる。前記コイルスプリング１６を覆う絶縁体には、絶縁作用を発揮できれば、任意のものを用いることができる。
なお、コイルスプリング１６は、短絡材１０と絶縁せずに用いることも可能である。
【００１７】
前記入力側ターミナル端子８は入力側端子６に装着される入力側同軸ケーブルの中心導体が挿入されるとその中心導体と導通状態となり、出力側ターミナル端子９は出力側端子７に装着される出力側同軸ケーブルの中心導体が挿入されるとその中心導体と導通状態となるようにしてある。金属製の入力側ターミナル端子８及び出力側ターミナル端子９は、図１（ｂ）に示すように、蓋ケース５の内側に取付けられている樹脂製の保持具１１に内蔵されて、アルミダイカストとか他の金属製の蓋ケース５に接触しないようにしてある。
【００１８】
前記短絡材１０の軸方向両端側下方には２本の押し具１３ａ、１３ｂが上下にスライド可能に配置されている。この押し具１３ａ、１３ｂは樹脂製のピン状であり、図１（ａ）（ｂ）に示すように、蓋ケース５の内側に取付けられている樹脂製の支持具１４の差込孔１５に縦向きに差し込まれて上下にスライド可能としてあり、しかも、自重で降下しても支持具から抜け落ちないようにするため、短絡材１０側（上端側）の径を支持具１４の差込孔１５の径よりも大きくし、下端側の径をその差込孔１５に差込可能になるように細くしてある。
【００１９】
前記蓋２にタップオフ本体３を取付けると、図１（ａ）に示すように、前記押し具１３は、タップオフ本体３のプリント基板２２により押し上げられて上方にスライドし、短絡材１０の軸方向両端側１０ａ、１０ｂを下方から押し上げて、その両端側を入力側ターミナル端子８及び出力側ターミナル端子９から押し離すようにしてある。その時、同図に示すように、前記円錐形のコイルスプリング１６は、短絡材１０の軸方向両端側１０ａ、１０ｂに押し上げられて、圧縮されて渦巻き状になって、高さが低くなるようにしてある。
【００２０】
蓋２からタップオフ本体３を取り外すと、図１（ｂ）に示すように、短絡材１０の軸方向両端側の押し上げが解除されて、短絡材１０の軸方向両端側１０ａ、１０ｂが、短絡材１０自身のバネ力と、圧縮されていたコイルスプリング１６のバネ力とによって下方へ押付けられて入力側ターミナル端子８及び出力側ターミナル端子９に接触するようにしてある。このとき、長期間蓋２にタップオフ本体３とを取付けて、短絡材１０が永久変形してバネ力を失った場合であっても、前記のようにコイルスプリング１６はバネ力を失わないものを用いているので、コイルスプリング１６は、短絡材１０の軸方向両端部１０ａ、１０ｂの下方への押付けを助勢し、入力側ターミナル端子８及び出力側ターミナル端子９への接触を補助するようにしてある。
【００２１】
前記タップオフ本体３は図１（ａ）に示すように、アルミダイカストとか他の金属製の本体ケース２０の底面に分岐端子２１が突設され、本体ケース２０の上面にプリント基板２２が取付けられている。プリント基板２２にはチョークコイル２４、コンデンサ、抵抗等の電子部品が搭載され、それらが結線されて、高周波信号が通る高周波系路、電源電圧が通る電源電圧系路といった、タップオフとして必要な各種回路や系路が形成されている。
【００２２】
プリント基板２２には、図１（ａ）に示すように、金属製の電極２３ａ、２３ｂが２本突設されている。この電極２３ａ、２３ｂは、タップオフ本体３を蓋２に装着すると入力側ターミナル端子８、出力側ターミナル端子９に挿入されて、それらターミナル端子８、９を介して、入力側端子６に接続された入力側同軸ケーブル、出力側端子７に接続された出力側同軸ケーブルの中心導体と接触するようにしてある。
【００２３】
また、図１（ａ）のようにタップオフ本体３を蓋２に装着すると、タップオフ本体３のプリント基板２２によって蓋２の押し具１３ａ、１３ｂが押し上げられ、その押し具１３ａ、１３ｂにより短絡材１０の軸方向両端部１０ａ、１０ｂが押し上げられて、当該両端部１０ａ、１０ｂが入力側ターミナル端子８、出力側ターミナル端子９から離される。この場合、短絡材１０は入力側端子６、出力側端子７から電気的に切り離される。
【００２４】
タップオフ本体３を蓋２から取り外すとプリント基板２２に上方に突出するように取付けられている電極２３ａ、２３ｂが入力側ターミナル端子８、出力側ターミナル端子９から抜去されて、タップオフ本体３の高周波系路も、電源電圧系路も入力側端子６、出力側端子７から電気的にも切り離される。この場合、入力側端子６に入力された高周波信号も電源電圧も分岐端子２１に出力されなくなる。
【００２５】
（実施形態２）
本発明のＣＡＴＶ機器の蓋の実施形態の他の一例を図面に基づいて詳細に説明する。
本発明のＣＡＴＶ機器の蓋も、基本的な構成態様は前記実施形態１に記載のものと共通するが、コイルスプリング１６と短絡材１０との絶縁方法において前記実施形態１に記載のものと異なる。
本実施形態においては、コイルスプリング１６と短絡材１０との間に絶縁体を挟み込み、コイルスプリング１６と短絡材１０とを絶縁している。絶縁体は、短絡材１０側とコイルスプリング１６側の一方又は双方に取付けることができる。絶縁体には、絶縁作用を発揮できれば、任意のものを用いることができる。
なお、前記実施形態１と同様に、コイルスプリング１６は、短絡材１０と絶縁せずに用いることも可能である。
【００２６】
（その他の実施形態）
本発明のコイルスプリングの材質には、金属性以外にも、弾力性が確保できれば、樹脂製やゴム製のコイルスプリングとすることも可能である。
【００２７】
また、短絡材を補助するのは、円錐形のコイルスプリングに限られず、円筒形やつづみ形のコイルスプリングや、ねじりコイルスプリング等、任意のコイルスプリング及びその他の任意の弾性体を用いることが可能である。
【産業上の利用可能性】
【００２８】
本発明のＣＡＴＶ機器の蓋は、タップオフ等のＣＡＴＶ機器を長期間使用して、短絡材自体が永久変形を起こして復元力を失った場合であっても、コイルスプリングによって、短絡材が両端が入力側端子、出力側端子に接触できるように短絡材を補助することができるので、停波しにくいＣＡＴＶ伝送路を形成することができる。
【図面の簡単な説明】
【００２９】
【図１】（ａ）〜（ｃ）は、本発明のＣＡＴＶ機器の蓋の実施形態の一例を示す断面説明図。
【図２】（ａ）、（ｂ）は、従来のＣＡＴＶ用タップオフを示す断面説明図。
【図３】従来のＣＡＴＶ機器の蓋の実施形態の一例を示す断面説明図。
【図４】従来のＣＡＴＶ機器の蓋の実施形態の他の一例を示す断面説明図。
【符号の説明】
【００３０】
１  タップオフ
２  蓋
３  タップオフ本体
４  螺子
５  蓋ケース
６  入力側端子
７  出力側端子
１０  短絡材
１３  押し具
１６  コイルスプリング
【図１】
2005136694.tif 000003
【図２】
2005136694.tif 000004
【図３】
2005136694.tif 000005
【図４】
2005136694.tif 000006